(57)【要約】【課題】本発明の目的は、作業効率を向上させることが可能なエレベータのかご上作業床を提供するにある。【解決手段】本発明のエレベータのかご上作業床は、乗かご１とつり合いおもり６とがすれ違う際に、図１に示す通り、塞ぎ板３のローラ部４がカム部５に当接することにより、回動支持部３ａを支点として塞ぎ板３をつり合いおもり６から離れる方向へ回動させる。従って、乗かご１とつり合いおもり６とがすれ違う際に、塞ぎ板３とつり合いおもり６とは干渉することなく、円滑に乗かご１を昇降させることができ、作業者の作業効率を向上させることができる。【選択図】図１
2010137981.tif 000002
【特許請求の範囲】
【請求項１】
ロープを介して連結されたつり合いおもりと釣瓶式に昇降路内を昇降する乗かごの上部に設けられたエレベータのかご上作業床において、
前記乗かご上部から対向するつり合いおもり側昇降路壁に向けて延設されるとともにその昇降路側先端部に設けられたローラ部と、このローラ部に負荷が掛かることにより負荷が掛かった方向へ回動させる回動支持部とを有する塞ぎ板と、前記つり合いおもりの乗かごとの対向側に設けられ前記ローラ部が当接し前記つり合いおもりと離れる方向へ前記ローラ部へ負荷を掛けるカム部とを設けて構成したことを特徴とするエレベータのかご上作業床。
【請求項２】
取り出すつり合いおもり側塞ぎ板は、かご上に折り畳んで収納してあり、それをつり合いおもり側に伸ばして使用することを特徴とする請求項１記載のエレベータのかご上作業床。
【請求項３】
取り出すつり合いおもり側塞ぎ板は、かご上に収納してあり、それをスライドして使用することを特徴とする請求項１記載のエレベータのかご上作業床。
【発明の詳細な説明】
【技術分野】
【０００１】
本発明は、エレベータのかご上点検作業時における、人や部品等の落下防止を目的とした安全増しに関するものである。
【背景技術】
【０００２】
一般的に、エレベータ乗かごの上部には作業床が設けられており、この作業床上に作業者が乗り、種々の保守点検作業を行っている。
【０００３】
この保守点検作業中に、作業者が誤って、工具などをかご上作業床から落下させることがあるため、落下を防止する対策が必要であった。
【０００４】
従来における、この種の対策の一例としては、補助作業床をエレベータ作業床の支点を中心として昇降路の壁方向へ回勤させ、この補助作業床により作業者は作業をするようにして、乗かごと昇降路との間の落下スペースを減らすものが提案されていた（特許文献１参照）。
【特許文献１】特開平０６−０３２５５５号公報
【発明の開示】
【発明が解決しようとする課題】
【０００５】
しかしながら、上述した従来のエレベータ作業床では、エレベータ昇降時に補助作業床を取り出した状態ではつり合いおもりに干渉してしまうため、乗かごがつり合いおもりとすれ違う度に補助作業床を収納しなくてはならず、作業効率が非常に悪いという不都合が有った。
【０００６】
本発明は上記不都合に鑑みてなされたもので、その目的は、作業効率を向上させることが可能なエレベータのかご上作業床を提供するにある。
【課題を解決するための手段】
【０００７】
上記目的を達成するために本発明は、ロープを介して連結されたつり合いおもりと釣瓶式に昇降路内を昇降する乗かごの上部に設けられたエレベータのかご上作業床において、  前記乗かご上部から対向するつり合いおもり側昇降路壁に向けて延設されるとともにその昇降路側先端部に設けられたローラ部と、このローラ部に負荷が掛かることにより負荷が掛かった方向へ回動させる回動支持部とを有する塞ぎ板と、前記つり合いおもりの乗かごとの対向側に設けられ前記ローラ部が当接して前記つり合いおもりと離れる方向へ前記ローラ部へ負荷を掛けるカム部とを設けて構成したことを特徴とする。
【０００８】
本発明は上述のようにエレベータのかご上作業床を構成したので、乗かごとつり合いおもりとがすれ違う際に、塞ぎ板のローラ部がカム部に当接することにより、回動支持部を支点として塞ぎ板をつり合いおもりから離れる方向へ回動させる。
【０００９】
従って、乗かごとつり合いおもりとがすれ違う際に、塞ぎ板とつり合いおもりとは干渉することなく、円滑に乗かごを昇降させることができ、作業者の作業効率を向上させることができる。
【発明の効果】
【００１０】
以上、説明したように、請求項１の発明のエレベータかご上作業床は、先端にローラを有するつり合いおもり側の塞ぎ板がカムを備えたつり合いおもりとすれ違う際に、カム機構によりローラがガイドされることによって、エレベータ昇降時にも干渉せずに使用可能である。
【００１１】
また、請求項２の発明の取り出すつり合いおもり側塞ぎ板は、かご上に折り畳んで収納してあり、それをつり合いおもり側に伸ばして使用するので、上記請求項１の発明と同様の効果に加えて、作業床の出し入れを容易にすることができるという効果を奏するのである。
【００１２】
さらに、請求項３の発明の取り出すつり合いおもり側塞ぎ板は、かご上に収納してあり、それをスライドして使用するので、上記請求項１の発明と同様の効果に加えて、作業床の出し入れを容易にすることができるという効果を奏するのである。
【発明を実施するための最良の形態】
【００１３】
以下、本発明のエレベータのかご上作業床の一実施例を図に基づいて説明する。
【００１４】
囲１は本発明のエレベータかご上作業床の一実施例を示す正面図、図２は図１のかご上作業床の平面図、図３，図４は本発明のエレベータかご上作業床のつり合いおもり側塞ぎ板の収納方法の説明図である。
【００１５】
なお、図１〜図４に示される同等のものには同一符号を付してある。
【００１６】
図１及び図２に示すように、乗かご１とつり合いおもり６とはロープ８を介して連結されており、両者は釣瓶式に昇降路９内を昇降している。また、つり合いおもり６は、ガイドレール７にガイドされて昇降路９内を昇降している。
【００１７】
そして本発明であるエレベータのかご上作業床は、前記乗かご１の上部に設けられた作業床本体２と、この作業床本体２から対向するつり合いおもり側昇降路壁１０に向けて延設されるとともに、その昇降路９側先端部に設けられたローラ部４と、このローラ部４に負荷が掛かることにより負荷が掛かった方向へ回動させる回動支持部（ヒンジ）３ａとを有する塞ぎ板３と、前記つり合いおもり６の乗かご１との対向側に設けられ前記ローラ部４が当接し前記つり合いおもり６と離れる方向へ前記ローラ部４へ負荷を掛けるカム部５とを有して構成されている。
【００１８】
本発明は上述のようにエレベータのかご上作業床を構成したので、乗かご１とつり合いおもり６とがすれ違う際に、図１に示す通り、塞ぎ板３のローラ部４がカム部５に当接することにより、回動支持部３ａを支点として塞ぎ板３をつり合いおもり６から離れる方向へ回動させる。
【００１９】
従って、乗かご１とつり合いおもり６とがすれ違う際に、塞ぎ板３とつり合いおもり６とは干渉することなく、円滑に乗かご１を昇降させることができ、作業者の作業効率を向上させることができる。
【００２０】
また図２に示す通り、乗かご１の幅方向にも固定塞ぎ板１１を設けておけば、さらに作業者の落下への懸念を低減でき、作業効率を向上させることが可能である。
【００２１】
次に本発明であるエレベータのかご上作業床の塞ぎ板の収納方法について、図３、図４を用いて説明する。
【００２２】
通常時、つまり、かご上点検作業を行っていない場合は、図３，図４の破線によって示すように作業床本体２につり合いおもり側３を収納し、この状態でエレベータは昇降している。
【００２３】
一方、かご上点検作業を行う場合には、図３，図４の実線で示すように、作業床本体２からつり合いおもり側塞ぎ板３を取り出して作業を行うようになっている。
【００２４】
ここで図３に示す、つり合いおもり側塞ぎ板３は、かご１上に折り畳んで収納してあり、それをつり合いおもり６側に回動させることにより、伸ばして使用するので、収納位置と使用位置とを変えることが可能である。
【００２５】
さらに、図４に示すつり合いおもり側塞ぎ板３は、かご１上に収納してあり、それをスライドして引き出すことで使用するので、容易に収納位置と使用位置とを変えることが可能である。
【００２６】
このように構成した実施例では、従来の作業床のように一作業ごとに収納する必要がないので、エレベータ昇降時にも使用可能である。
【図面の簡単な説明】
【００２７】
【図１】本発明のエレベータかご上作業床の一実施例を示す正面図。
【図２】図１のかご上作業床の平面図。
【図３】本発明のエレベータかご上作業床のつり合いおもり側塞ぎ板の収納方法の説明図。
【図４】本発明のエレベータかご上作業床のつり合いおもり側塞ぎ板の収納方法の説明図。
【符号の説明】
【００２８】
１  乗かご
２  作業床本体
３  つり合いおもり側塞ぎ板
３ａ  回動支持部
４  ローラ部
５  カム部
６  つり合いおもり
７  ガイドレール
８  ワイヤロープ
９  昇降路
１０  つり合いおもり側昇降路壁
１１  固定塞ぎ板
【図１】
2010137981.tif 000003
【図２】
2010137981.tif 000004
【図３】
2010137981.tif 000005
【図４】
2010137981.tif 000006